(57)【要約】      （修正有）【課題】解錠装置の小型化と解錠装置の操作にあたっての利便性の向上が図られた解錠装置を提供する。【解決手段】解錠装置１は、ＬＥＤ８Ａ〜８Ｈを有するＬＥＤアレイ８Ａｒと、ＬＥＤに光の出射を指示する点灯スイッチ１０と、ＬＥＤから出射した光を、ＬＥＤアレイ８Ａｒの中の一部のＬＥＤに対して選択的に反射させることができるように、ＬＥＤアレイ８Ａｒに対して移動可能な反射板１７と、反射板１７により選択的に反射された光が、ＬＥＤアレイ８Ａｒの中の所定のＬＥＤに所定の順番で受光されたか否か判断するマイクロコンピューターとを有する。【選択図】図１
2013014973.tif 000002
【特許請求の範囲】
【請求項１】
解錠装置において、
光出射部と、
前記光出射部に光の出射を指示する光出射指示部と、
複数の光センサーと、
前記光出射部から出射した光を、前記複数の光センサーの中の一部の光センサーに対して選択的に反射させることができるように、前記複数の光センサーに対して移動可能な光反射部と、
前記光反射部により前記選択的に反射された光が、前記複数の光センサーの中の所定の光センサーに所定の順番で受光されたか否か判断する判断部と、
を有することを特徴とする解錠装置。
【請求項２】
請求項１に記載の解錠装置において、
前記光出射部から出射した光を前記解錠装置の外部に出射可能とする透光部を有することを特徴とする解錠装置。
【請求項３】
請求項１または２に記載の解錠装置において、
前記複数の光センサーは列状に配置され、前記光反射部または前記列状に配置された複数の光センサーは、前記列の方向に沿って移動可能であることを特徴とする解錠装置。
【請求項４】
請求項１または２に記載の解錠装置において、
前記複数の光センサーは環状に配置され、前記光反射部または前記環状の配置された複数の光センサーは、前記環に沿って移動可能であることを特徴とする解錠装置。
【請求項５】
請求項２に記載の解錠装置において、
前記光出射部を前記解錠装置の動作状態に応じて所定の点灯を行わせる点灯制御部を有することを特徴とする解錠装置。
【請求項６】
請求項１から５のいずれか１項に記載の解錠装置を備えることを特徴とする施・解錠装置。
【発明の詳細な説明】
【技術分野】
【０００１】
本発明は、解錠装置および施・解錠装置に関する。
【背景技術】
【０００２】
従来、たとえば、特許文献１、特許文献２に開示されるように、バーコードやテンキー入力による識別コードを用いて解錠を行う解錠装置が知られている。
【先行技術文献】
【特許文献】
【０００３】
【特許文献１】実公平３−４２２２１号公報
【０００４】
【特許文献２】特開２０１０−１２６９１４号公報
【発明の概要】
【発明が解決しようとする課題】
【０００５】
しかしながら、バーコードを用いる解錠装置においては、操作者がバーコードを携帯する必要があり、利便性が劣るという問題がある。また、テンキーを備える解錠装置においては、テンキーの設置スペースを広く要し、解錠装置の小型化を阻む要因となりやすいという問題がある。そこで本発明は、利便性がよく小型化を図ることができる解錠装置および施・解錠装置を提供することを目的とする。
【課題を解決するための手段】
【０００６】
上記課題を解決するため、本発明の解錠装置は、光出射部と、光出射部に光の出射を指示する光出射指示部と、複数の光センサーと、光出射部から出射した光を、複数の光センサーの中の一部の光センサーに対して選択的に反射させることができるように、複数の光センサーに対して移動可能な光反射部と、光反射部により選択的に反射された光が、複数の光センサーの中の所定の光センサーに所定の順番で受光されたか否か判断する判断部とを有することとする。
【０００７】
また、解錠装置は、光出射部から出射した光を解錠装置の外部に出射可能とする透光部を有することが好ましい。
【０００８】
また、解錠装置は、複数の光センサーは列状に配置され、光反射部または列状に配置された複数の光センサーは、列の方向に沿って移動可能であることとする。
【０００９】
また、解錠装置は、複数の光センサーは環状に配置され、光反射部または環状の配置された複数の光センサーは、環に沿って移動可能であることとする。
【００１０】
また、解錠装置は、光出射部を解錠装置の動作状態に応じて所定の点灯を行わせる点灯制御部を有することを特徴とする解錠装置。
【００１１】
上記課題を解決するため、施・解錠装置において、上述の解錠装置を備えることとする。
【発明の効果】
【００１２】
本発明によれば、解錠装置および施・解錠装置の小型化と解錠装置の操作にあたっての利便性の向上が図られた解錠装置および施・解錠装置を提供することができる。
【図面の簡単な説明】
【００１３】
【図１】本発明の実施の形態に係る施・解錠装置の概略の構成を示す図である。
【図２】図１に示す施錠装置の正面図である。
【図３】図１に示す切断線Ｂ−Ｂにおける解錠装置の断面の概略の構成を示す図である。
【図４】図１に示す施・解錠装置の制御回路の構成を示すブロック図である。
【図５】図５に示すＬＥＤアレイ駆動回路の構成を示すブロック図である。
【図６】図５に示す発光兼受光回路を示す図である。
【図７】発明の実施の形態に係る解錠装置の動作を示すフローチャートである。
【図８】本発明の実施の形態に係る施・解錠装置の動作状態を示す図である。
【図９】本発明の実施の形態に係る施・解錠装置の動作状態を示す図である。
【図１０】本発明の実施の形態に係る施・解錠装置の動作状態を示す図である。
【図１１】本発明の実施の形態に係る施・解錠装置の動作状態を示す図である。
【図１２】本発明の実施の形態に係る施・解錠装置の動作状態を示す図である。
【図１３】本発明の実施の形態に係る施・解錠装置の動作状態を示す図である。
【図１４】本発明の実施の形態に係る施・解錠装置の動作状態を示す図である。
【図１５】本発明の解錠装置の変形例の構成を示す図である。
【図１６】図１５に示す切断線Ｃ−Ｃにおける解錠装置の断面の概略の構成を示す図である。
【図１７】図１５に示す切断線Ｄ−Ｄにおける解錠装置の断面の概略の構成を示す図である。
【発明を実施するための形態】
【００１４】
以下、本発明の実施の形態に係る解錠装置１について、解錠装置１を、施錠装置２に組み合わせた施・解錠装置３Ａを例にして説明する。図１は、施・解錠装置３Ａの概略の構成を示す図である。以下の説明において、図１に示す、Ｘ方向を前方、Ｙ方向を上方、そして、Ｚ方向（紙面表面方向）を左方として説明を行う。図２は、施錠装置２を前方向から見たときの正面図である。図１において、施錠装置２については、図２に示す切断線Ａ−Ａにおける断面の概略の構成が示されている。図３は、図１に示す切断線Ｂ−Ｂにおける解錠装置１の断面の概略の構成が示されている。なお、図１から図３は、施・解錠装置３Ａが、被施錠体Ｍを施錠していない（解錠状態）ときの構成を示している。
【００１５】
（施・解錠装置３Ａの構成）
施・解錠装置３Ａは、解錠装置１と施錠装置２とを有する。施錠装置２は、後述するように、閂４を被施錠体Ｍに向かって進出させることにより、被施錠体Ｍを施錠し、被施錠体Ｍを施錠している閂４を後方に後退させることで、被施錠体Ｍを解錠することができる。すなわち、本実施の形態の施錠装置２は、閂４を被施錠体Ｍに向けて進出させたときが、被施錠体Ｍを施錠する施錠状態であり、閂４を被施錠体Ｍから後方に後退させたときが、被施錠体Ｍを非施錠とする解錠状態である。
【００１６】
たとえば、被施錠体Ｍが自転車であるときは、閂４を前方に向けて進出させた状態とすると、閂４が車輪のスポークの間に入り込み、自転車を施錠することができる。閂４を車輪（被施錠体Ｍ）から後方に後退させると、閂４はスポークの間から抜かれ、自転車を非施錠とすることができる。
【００１７】
施錠装置２は、後述するように、解錠装置１から送られる解錠信号に基づき、電磁石５が駆動される。また、解錠装置１は、所定の識別コード（暗証コード）が入力されると、施錠装置２に対して解錠信号を出力する。
【００１８】
（解錠装置１の構成）
解錠装置１は、ガイド部材としてのガイドカバー６と、スライド摘み７と、光センサーとしてＬＥＤ（Ｌｉｇｈｔ Ｅｍｉｔｔｉｎｇ Ｄｉｏｄｅ）が複数列状に配置されたＬＥＤアレイ８Ａｒと、基板９（図３参照）と、光出射指示部としての点灯スイッチ１０等とを有する。
【００１９】
ガイドカバー６は、全体として前後方向に長い矩形状であり、左右方向が上下方向に比べて扁平している平板状を呈している。ガイドカバー６の内側には、左方に開口部１１が配置される蟻溝１２が形成されている。蟻溝１２は、溝の長手方向が前後方向に配置されている。また、蟻溝１２は、上下に配置される側壁部１３，１３と、右方に配置される底面部１４と、開口部１１を挟んで上下に配置され開口部１１に競り出る競出部１５，１５とにより形成されている。
【００２０】
スライド摘み７は、摘み部６２と被ガイド部６３とを有している。スライド摘み７の摘み部６２は、蟻溝１２の開口部１１から左方に突出させられ、被ガイド部６３は、蟻溝１２内に保持されている。被ガイド部６３は、上下に配置される側壁部１３，１３により上下方向がガイドされ、底面部１４と競出部１５，１５とにより左右方向がガイドされている。つまり、スライド摘み７は、蟻溝１２に沿って前後方向に移動（スライド）可能にガイドカバー６に保持されている。したがって、開口部１１から突出している摘み部６２を手指で摘まみ、スライド摘み７を、蟻溝１２に沿って前後方向に移動（スライド）させることができる。
【００２１】
ガイドカバー６の右側には、基板９が配置されている。基板９も、ガイドカバー６と同様に、前後方向に長い矩形状を呈している。基板９には、前後方向に配置される複数のＬＥＤ（Ｌｉｇｈｔ Ｅｍｉｔｔｉｎｇ Ｄｉｏｄｅ）から構成されるＬＥＤアレイ８Ａｒが実装されている。本実施の形態では、ＬＥＤアレイ８Ａｒは、ＬＥＤ８Ａ，８Ｂ，８Ｃ，８Ｄ，８Ｅ，８Ｆ，８Ｇ，８Ｈの８個のＬＥＤを有している。なお、以下の説明において、ＬＥＤ８Ａ〜８Ｈの区別なく１つのＬＥＤについて記載するときは、ＬＥＤ８と記載することとする。基板９には、後述する制御回路１６（図４）が実装されている。制御回路１６により、ＬＥＤアレイ８Ａｒの発光および受光の他、解錠信号の出力等の制御が行われる。
【００２２】
ガイドカバー６は、透明体（たとえば、透明なポリカーボネイト樹脂）にて形成され、ＬＥＤアレイ８Ａｒをガイドカバー６を介して解錠装置１の外部から視認することができるように構成されている。本実施の形態では、スライド摘み７についても透明体（たとえば、透明なポリカーボネイト樹脂）にて形成されている。したがって、スライド摘み７とガイドカバー６とが重なっている部分については、ガイドカバー６およびスライド摘み７を介して解錠装置１の外部からＬＥＤアレイ８Ａｒを視認することができる。
【００２３】
スライド摘み７の被ガイド部６３には、底面部１４と対向する面に光を反射することができる反射板１７が備えられている。反射板１７は、スライド摘み７を前後方向に移動させたときに、ＬＥＤ８Ａ〜８Ｈの中のいずれか１つのＬＥＤ８に対向することができるように、前後方向の幅Ｗが設定されている。すなわち、反射板１７が、同時に、２つ以上のＬＥＤ８に対向することのないように、反射板１７の前後方向の幅Ｗは、隣接するＬＥＤ８の内法間隔よりも狭い間隔に設定されている。したがって、スライド摘み７を前後方向に移動させて、反射板１７を、ＬＥＤ８Ａ〜８Ｈの中の任意のＬＥＤ８に対して選択的に対向させることができる。
【００２４】
ガイドカバー６とスライド摘み７との間には、スライド摘み７を移動したときに、反射板１７をＬＥＤ８と対向する位置に位置決めすることができるように、図示を省略するクリック機構が設けられている。クリック機構は、たとえば、ガイドカバー６の底面部１４に、ＬＥＤ８の配置に対応させて形成される複数の凹部（図示省略）と、該凹部に嵌合することができるように、スライド摘み７の被ガイド部６３に形成される突起部（図示省略）とを用いて構成することができる。
【００２５】
点灯スイッチ１０は、解錠装置１の外部から操作することができるように、たとえば、ガイドカバー６の上縁部等に配置されている。点灯スイッチ１０は、制御回路１６に接続されている。制御回路１６は、点灯スイッチ１０が押下されると、ＬＥＤアレイ８Ａｒが所定の発光および受光を行うように、ＬＥＤアレイ８Ａｒの駆動制御を行う。
【００２６】
（施錠装置２の構成）
次に、施錠装置２の構成について説明する。施錠装置２は、筐体１８と、閂４と、コイルバネ１９と、スライド爪２０と、コイルバネ２１と、電磁石５等を有する。
【００２７】
閂４は、全体として前後方向に長い杆体状を呈し、上面部には、上方に突出した突起片２２が設けられ、後端部には、下方に突出した突起片２３が設けられている。また、下面部には、上方に凹む凹部２４が形成されている。
【００２８】
閂４は、前後方向に移動可能に筐体１８に支持されている。筐体１８の天板２５の内面（下側の面）には、突起片２２の前側に当接する前方当接部２６と、突起片２２の後側に当接する後方当接部２７とが形成されている。つまり、突起片２２に当接する前方当接部２６と後方当接部２７がストッパとなり、閂４の前後方向への移動範囲が規制される。言い換えれば、突起片２２、前方当接部２６および後方当接部２７は、閂４の前後方向への抜け止めの構造を構成している。コイルバネ１９は、筐体１８の前板２８と突起片２２との間に、閂４を後方に向けて付勢するように配置されている。
【００２９】
スライド爪２０は、全体として上下方向に長い杆体状を呈し、上端部２９と閂４の凹部２４とは、閂４の後方への移動を規制するラチェット機構を構成している。つまり、凹部２４は、前側に前後方向に対して直交する直交面３０を有し、後方に斜面３１とを有している。一方、スライド爪２０の上端部２９には、後方に斜面を向ける斜面３２が形成されている。したがって、スライド爪２０の上端部２９が閂４の凹部２４に嵌合している状態において、閂４は、前方への移動は許容されるが、後方への移動はスライド爪２０により規制される。
【００３０】
スライド爪２０の後面部には後方に突出する突起片３３が設けられている。筐体１８には、スライド爪２０を上下方向にガイドするガイド孔３４が形成され、スライド爪２０の下側の一部が、ガイド孔３４に挿入されている。つまり、スライド爪２０は、ガイド孔３４により上方方向に移動可能に筐体１８に支持されている。筐体１８の下板３５と突起片３３との間にはコイルバネ２１が配置されている。コイルバネ２１は、スライド爪２０を上方に向けて付勢している。
【００３１】
スライド爪２０の前側には電磁石５が配置されている。電磁石５は、制御回路１６からの解錠信号により非励磁状態から励磁状態に駆動される。スライド爪２０は、鉄材などの磁性材にて形成されている。したがって、電磁石５が励磁されると、スライド爪２０は、電磁石５に吸着される。電磁石５とスライド爪２０との吸着力は、コイルバネ２１によるスライド爪２０の上方への付勢力に抗して、スライド爪２０を保持することができる強さに設定されている。
【００３２】
施錠装置２には、閂４の移動によりオン・オフが行われるスイッチ３６，３７が備えられている。スイッチ３６は、閂４の突起片２２が後方当接部２７に当接したときに、突起片２２の後端面によりオンされる位置に配置されている。つまり、スイッチ３６は、閂４の突起片２２が後方当接部２７に当接したときにオンされ、閂４が前方に移動し、突起片２２が後方当接部２７から離間するとオフする。スイッチ３７は、閂４の突起片２２が前方当接部２６に当接したときに、突起片２３の前端面によりオンされる位置に配置されている。つまり、スイッチ３７は、閂４の突起片２２が前方当接部２６に当接したときにオンされ、閂４が後方に移動し、突起片２２が前方当接部２６から離間するとオフする。
【００３３】
施錠装置２は、解錠装置１の前方、すなわち、被施錠体Ｍ側に配置されている。そして、解錠装置１の下側の側壁部１３は、前端から後方に向かって一部が切り欠かれたスリット３８が形成されている。閂４が後方に退避したときに、閂４の後側の一部がはスリット３８に進入することができる。また、閂４がスリット３８内に進入している状態で、スライド摘み７を前進させると、スライド摘み７の被ガイド部６３の前端部が当接する。したがって、閂４が後方に退避しスリット３８内に進入している状態で、スライド摘み７を前進させると、閂４を前方に移動させることができる。
【００３４】
（制御回路１６）
次に、図４、図５を参照しながら、基板９に実装される制御回路１６の構成について説明する。図４は、制御回路１６のブロック構成を示す図であり、図５は、ＬＥＤアレイ８Ａｒの投受光を制御するＬＥＤアレイ駆動回路３９のブロック構成を示す図である。図４に示すように、制御回路１６は、制御用のマイクロコンピューター４０と、ＬＥＤアレイ駆動回路３９とを有する。なお、ＬＥＤアレイ８Ａｒおよび制御回路１６は、電源４１により駆動される。マイクロコンピューター４０は、ＣＰＵ４２と、プログラムやデーターが記憶されるＲＯＭ４３と、所定のデーターを一時的に記憶するＲＡＭ４４等を有している。マイクロコンピューター４０には、ＬＥＤアレイ駆動回路３９、点灯スイッチ１０、電磁石５、スイッチ３６、スイッチ３７、書込みスイッチ４５が接続されている。
【００３５】
ＬＥＤは、一般に、光の出射（発光）を行う機能を有するものであるが、本実施の形態におけるＬＥＤアレイ８Ａｒは、以下に説明するように、発光機能に加えて、光センサーとしての機能を果たすことができるように構成されている。つまり、ＬＥＤアレイ８Ａｒは光出射部と光センサーとを構成しているもので、特開２００１−１９７２５３号に開示される構成のＬＥＤアレイ駆動回路を用いて実現することができる。
【００３６】
具体的には、ＬＥＤアレイ駆動回路３９は、図５および図６に示される構成を有する。図６は、ＬＥＤアレイ駆動回路３９の一部を構成する発光兼受光回路４６の構成を示すものであり、発光兼受光回路４６により、たとえば、ＬＥＤ８Ｂに発光および受光を行わせるための回路構成が示されている。先ず、図６を参照して、発光兼受光回路４６の構成について説明する。図６の発光兼受光回路４６において、所定の電位Ｅを生じさせる電源４１が設けられており、この電源電圧を抵抗４７及び抵抗４８によって分圧している。そして、ＬＥＤ８Ｂのカソード側４９ａにバイアス電圧Ｖｋを与えている。
【００３７】
なお、このＬＥＤ８Ｂは、ＰＮ接合を有する発光ダイオードである。そして、ＬＥＤ８Ｂのアノード側４９ｂには、ＭＯＳＦＥＴ５０のゲート５０ａが接続されており、これと共にトランジスタ５１のコレクタ５１ａが接続されている。
【００３８】
また、ＭＯＳＦＥＴ５０のドレイン５０ｂには、負荷抵５２が接続されている。そして、この負荷抵５２を介して、ＭＯＳＦＥＴ５０のドレイン５０ｂが電源１１のプラス極に接続されている。また、ＭＯＳＦＥＴ５０のソース５０ｃは、帰還抵抗５３に接続されている。そして、この帰還抵抗５３を介して、ＭＯＳＦＥＴ５０のソース５０ｃが電極４１のマイナス極に接続されている。
【００３９】
ここで、負荷抵５２とＭＯＳＦＥＴ５０の間には、ＬＥＤ８Ｂの受光出力を測定するために分岐した分岐配線５４を有しており、この分岐配線５４の端部５４ａで受光出力Ｖoutを測定可能としている。
【００４０】
また、トランジスタ５１のベース５１ｂ には、抵抗５５が接続されており、この抵抗５５が配線５６を介して不図示の制御回路に接続されている。それによって、抵抗５５を介して不図示の制御回路から切り替え信号が与えられる構成である。この場合、切り替え信号がｈｉｇｈレベルの時、トランジスタ５１はＯＦＦとなり、ＬＥＤ８Ｂが受光素子として働くこととなる。また、切り替え信号がｌｏｗレベルの時、トランジスタ５１はＯＮとなり、ＬＥＤ８Ｂが従来どおり発光素子として働くこととなる。
【００４１】
なお、これらトランジスタ５１及び抵抗５５、配線５６および後述するＣＰＵ４２により、切り替え手段が構成されている。それにより、トランジスタ５１のＯＮ／ＯＦＦ作動で、ＬＥＤ８Ｂを受光素子若しくは発光素子のいずれかに選択的に切り替えることが可能な構成としている。
【００４２】
以上のような発光兼受光回路４６の作用について、以下に説明する。まず、図５（図４）のＣＰＵ４２により切り替え信号が発せられて、配線５６を介してｈｉｇｈレベルの切り替え信号が入力される場合について説明する。
【００４３】
ＰＮ接合を有するＬＥＤ８Ｂに光が照射されると、ＰＮ接合を順方向にバイアスする向きに光起電力を生ずる。この場合、解放光起電力をＶｏとすると、
Ｖｏ＝ｋ（Ｔ／ｑ）×Ｉｎ（Ｉ／Ｉｓ）
であることが、一般的に知られている。なお、この式において、Ｉｓは逆方向の飽和電流、ｋはボルツマン定数、Ｔは絶対温度、ｑは電子の電荷、Ｉは光電流である。
【００４４】
一方、光起電力を生ずるためには、エネルギーギャップをＥｇ（ｅｖ）としたとき、λ＝１２４０／Ｅｇ（ｎｍ）の波長以下の光を必要とする。このため、例えばλ＝６６０（ｎｍ）の波長で発光する透明部材で封止された赤色ＬＥＤを受光素子として使用した場合、６６０（ｎｍ）よりも短波長側に受光感度を持つことになり、６６０（ｎｍ）よりも短波長側ではない赤外領域の波長には感度を持たないことになる。したがって、フォトダイオードにおいて必要とされている視感度補正フィルタを必要とせずに済む。
【００４５】
なお、このＬＥＤ８Ｂが赤色の封止部材で封止されている場合は、赤色を選択して受光可能となる。同様に、緑色や青色の封止部材でＬＥＤ８Ｂが封止されている場合は、それぞれ緑色や青色を選択して受光可能となる。このため、赤色ＬＥＤを使用し、赤、緑、青の三原色の封止部材でそれぞれ封止したＬＥＤ８Ｂを受光素子として使用したり、ＬＥＤ自体を赤、緑、青のＬＥＤ８Ｂとして使用すれば、読み取り対象物の色情報を取り出すことができる。すなわち、図６に示す発光兼受光回路４６を３つ併設し、ＬＥＤ８Ｂとしてそれぞれ異なる色（赤、緑、青）のものを使用することで読み取り対象物の色情報を検出できることとなる。これと共に、この色情報を基にＬＥＤ８Ｂを発光させ、その光を集めることによって、読み取り対象物の色を再現することも可能となる。
【００４６】
また、透明部材で封止されたＬＥＤ８Ｂにおいて、異なる発光波長の物を複数使用してその差をとることにより、波長選択を行うことも可能となる。例えば、６６０ｎｍの赤色ＬＥＤと５６０ｎｍの緑色ＬＥＤの２つの受光量の差を取れば、５６０ｎｍより短い波長の光による受光量は２つの間で同じとなる。このため、その間の受光量の差の変化を利用すれば、５６０ｎｍと６６０ｎｍの間の波長の光量を測定することが可能となる。すなわち、５６０〜６６０ｎｍの波長を選択的に抽出することが可能となるのである。
【００４７】
また、ＬＥＤ８Ｂによって発生する解放起電力をＶｏとし、バイアス電圧をＶｋとすれば、ＭＯＳＦＥＴ５０のゲート５０ａには、Ｖｏ＋Ｖｋの電圧が入力電圧として印加される。これによって、ＭＯＳＦＥＴ５０が導通可能となり、この入力電圧に比例した電圧がＭＯＳＦＥＴ５０のドレイン５０ｂに出力電圧Ｖｏｕｔとして生ずることとなる。
【００４８】
続いて、図５において切り替え信号がｌｏｗレベルでトランジスタ５１がＯＮとなり、ＬＥＤ８Ｂを発光素子として使用する場合について、以下に説明する。このような使用はＬＥＤ８Ｂの通常の使用に相当する。
【００４９】
まず、トランジスタ５１がＯＮとなることにより、ＬＥＤ８Ｂには抵抗４８を介して電流が供給され、発光する。この場合、抵抗１３の値は次式によって与えられる。
Ｒ２＝（Ｅ−Ｖｌｅｄ）／Ｉｍａｘ
【００５０】
ここで、Ｒ２は、抵抗４８の抵抗値、Ｅは電源４１の電圧、ＶｌｅｄはＬＥＤ８Ｂの順方向電圧、ＩｍａｘはＬＥＤ８Ｂに流すことが可能な許容電流である。したがって、抵抗４７の抵抗値Ｒ１は、
Ｒ１＝Ｒ２×｛（Ｅ／Ｖｋ）−１｝
となる。
【００５１】
上述の切り替え信号のｌｏｗレベルを維持すれば、ＬＥＤ８Ｂは連続点灯することになり、切り替え信号のｌｏｗレベルとｈｉｇｈレベルを周期的に繰り返せば、ＬＥＤ８Ｂは点滅することになる。このように、図６に示した発光兼受光回路４６では、ＬＥＤ８Ｂの受光と発光とを簡単に切り替えることが可能となる。
【００５２】
以上のような発光兼受光回路４６を用いて、図５に示すように、ＬＥＤアレイ駆動回路３９が構成されている。
【００５３】
まず、ＬＥＤアレイ駆動回路３９の最小制御ブロック５７を構成する場合について説明する。最小制御ブロック５７は、読み取り情報を出力可能な最小単位の、情報出力装置として機能を備えるものである。この場合、上述の発光兼受光手段としての発光兼受光回路４６に設けられているＬＥＤ８Ｂ，８Ｃを隣り合うように、２つ並べる。そして、隣り合って設けられた発光兼受光回路４６と同列になるように、受光のみを行う受光手段としての受光回路５８のＬＥＤ８Ａ，８Ｄをこの列の長手方向両端部に位置するように設ける。
【００５４】
すなわち、この配列では、それぞれのＬＥＤ８Ａ、８Ｂ，８Ｃ，８Ｄが、この順に受光回路５８、発光兼受光回路４６、発光兼受光回路４６、受光回路５８に接続されている。
【００５５】
なお、以下の説明では、図５に示すように、受光回路５８や発光兼受光回路４６を受光回路５８−１、発光兼受光回路４６−２、発光兼受光回路４６−３、受光回路５８−４というように、この図において上から並べられた順に符号を付して説明する。
【００５６】
これら受光回路５８−１，５８−４及び発光兼受光回路４６−２，４６−３は、共に時分割多重化手段としてのマルチプレクサ５９に接続されている。マルチプレクサ５９は、発光兼受光回路４６−２，４６−３や受光回路５８−１，５８−４から発せられた複数の信号を時分割多重方式などで多重化可能な装置である。また、マルチプレクサ５９は、マイクロコンピューター４０にも接続されている。マイクロコンピューター４０は、マルチプレクサ５９や発光兼受光回路４６に対して制御信号を発するものである。それによって、マルチプレクサ５９が制御信号を受信すると、ＣＰＵ４２に存する出力手段としてのＡ／Ｄ入力端子６０で各ＬＥＤ８における出力電圧の取り込みを行えるようになっている。
【００５７】
すなわち、このマイクロコンピューター４０からの信号に基づいて、発光兼受光回路４６−２，４６−３や受光回路５８−１，５８−４から出力された出力電圧を、時分割して受信することを可能としている。また、マイクロコンピューター４０からの制御信号によって、発光兼受光回路４６においては、発光状態と受光状態との切り替えを行う構成となっている。
【００５８】
なお、このようなマルチプレクサ５９からの多重化による信号の受信を可能とするために、マルチプレクサ５９は、Ａ／Ｄ入力端子６０にも接続されている。
【００５９】
また、マイクロコンピューター４０は、発光兼受光回路４６−２，４６−３の配線５６と接続している。このため、マイクロコンピューター４０が発した発光・受光切り替え信号を発光兼受光回路４６−２，４６−３で受信して、発光兼受光回路４６−２，４６−３の発光機能と受光機能とを切り替えるように構成されている。
【００６０】
このような最小制御ブロック５７を、ＬＥＤ８Ａ〜８ＤとＬＥＤ８Ｅ〜８Ｈとが同列となるように、２個並べたものが、ＬＥＤアレイ駆動回路３９として構成されている。つまり、ＬＥＤアレイ駆動回路３９は、図１に示すようにＬＥＤ８Ａ〜８ＨのＬＥＤを有し、ＬＥＤ８Ａ〜８Ｄを有する最小制御ブロック５７と、ＬＥＤ８Ｅ〜８Ｈを有する最小制御ブロック５７とを有する。
【００６１】
以上のような構成を有するＬＥＤアレイ駆動回路３９の作用について、以下に説明する。
【００６２】
まず、マイクロコンピューター４０により切り替え信号が発せられて、ＬＥＤ８Ｂを光源として使用する場合について説明する。この場合、配線５６を介してマイクロコンピューター４０で発せられたｌｏｗレベルの切り替え信号が伝達される。それによって、トランジスタ５１がＯＮとなり、ＬＥＤ８Ｂを発光素子として使用することが可能となる。
【００６３】
ＬＥＤ８Ｂを光源として使用する場合、マイクロコンピューター４０はＬＥＤ８Ｃにも切り替え信号を同時に伝達し、配線５６を介してマイクロコンピューター４０からｈｉｇｈレベルの切り替え信号が伝達される。それによって、トランジスタ５１はＯＦＦとなり、ＬＥＤ８Ｃを受光素子として使用することが可能となる（第１の信号伝達工程）。
【００６４】
ここで、ＬＥＤ８Ｂを光源として使用すると、ＬＥＤ８Ａ，８Ｃでこの光源として使用された光を取り込む（読み取る）ことが可能となる（第１の読み取り工程）。この場合、マイクロコンピューター４０は、まずマルチプレクサ５９に制御信号ａを送り、ＬＥＤ８Ａの出力電圧をＡ／Ｄ入力端子６０に取り込むようにする。これに続いて、制御信号ｃを送り、ＬＥＤ８Ｃの出力電圧をＡ／Ｄ入力端子６０で取り込むようにする。すなわち、ＬＥＤ８Ｂを光源として利用した場合には、これの両隣りのＬＥＤ８ＡとＬＥＤ８Ｃで光を受光する。そして、受光結果を、ＬＥＤ８Ａ，ＬＥＤ８Ｃの順で、Ａ／Ｄ入力端子６０で取り込むようにする（第１の出力工程）。
【００６５】
続いて、ＬＥＤ８Ｃを光源として使用する場合について、説明する。この場合、上述のＬＥＤ８ＢとＬＥＤ８Ｃの、発光機能と受光機能とが逆の関係になる。すなわち、配線５６を介してマイクロコンピューター４０で発せられたｌｏｗレベルの切り替え信号が伝達される。それによって、トランジスタ５１がＯＮとなり、ＬＥＤ８Ｃを発光素子として使用可能となる。
【００６６】
この場合、マイクロコンピューター４０はＬＥＤ８Ｂにも切り替え信号を同時に伝達し、配線５６を介してマイクロコンピューター４０からｈｉｇｈレベルの切り替え信号が伝達される。それにより、トランジスタ５１はＯＦＦとなり、ＬＥＤ８Ｂが受光素子として使用可能となる（第２の信号伝達工程）。
【００６７】
このＬＥＤ８Ｃを光源として使用すると、ＬＥＤ８Ｂ，８Ｄでこの光源として使用された光を取り込む（読み取る）ことが可能となる（第２の読み取り工程）。この場合、マイクロコンピューター４０はまずマルチプレクサ５９に制御信号ｂを送り、ＬＥＤ８Ｂの出力電圧をＡ／Ｄ入力端子６０で取り込む。これに続いて、制御信号ｄを送り、ＬＥＤ８Ｄの出力電圧をＡ／Ｄ入力端子６０で取り込む（第２の出力工程）。それによって、ＬＥＤ８Ｃの両隣りのＬＥＤ８ＢとＬＥＤ８Ｄで光を受光することが可能となる。
【００６８】
以上の動作により、ＬＥＤ８Ａ〜ＬＥＤ８Ｄまでの、計４個の出力電圧を得ることが可能となる。そして、この最小制御ブロック５７での動作を、他の最小制御ブロック５７でも同時にまたは順次に行う。それによって、８個のＬＥＤ８Ａ〜８Ｈに対応するライン状の情報の読み取りが可能となる。
【００６９】
つまり、ＬＥＤアレイ駆動回路３９を用いることにより、ＬＥＤアレイ８Ａｒの中の１つのＬＥＤ８に反射板１７を対向させた状態で、ＬＥＤ８Ｂ，８Ｃ，８Ｆ，８Ｇを順次発光させることで、反射板１７が、ＬＥＤ８Ａ〜８Ｈの中のどのＬＥＤ８に対向させられているかを検出することができる。
【００７０】
（施・解錠装置３Ａの動作）
次に上述の構成を有する施・解錠装置３Ａの動作について、図７に示すフローチャートおよび、図８から図１３を参照しながら説明する。図８から図１３は、施・解錠装置３Ａを施錠および解錠するときの動作状態を示す図である。
【００７１】
先ず、図８から図１０を参照しながら、被施錠体Ｍを施錠する際の動作について説明する。図８は、施・解錠装置３Ａが解錠状態にあるときの状態を示す図である。すなわち、被施錠体Ｍは解錠状態である。図８に示す解錠状態では、閂４は、コイルバネ１９により後方に付勢され、突起片２２が後方当接部２７に当接し、被施錠体Ｍから後方に退避させられている。また、スライド爪２０は、コイルバネ２１により上方に付勢されているが、閂４の下面６１に当接し、上方への移動が規制されている。また、図８に示す解錠状態では、電磁石５は非励磁の状態とされている。
【００７２】
施・解錠装置３Ａが、解錠状態にあるときに、スライド摘み７を、たとえば、手指で摘まみ前方に移動すると、被ガイド部６３の前端部が閂４の後端部に当接する。前端部が閂４の後端部に当接した被ガイド部６３を、さらに、コイルバネ１９の付勢力に抗して前方に移動し、図９に示すように、突起片２２が前方当接部２６に当接するまで閂４を前方に移動させる。
【００７３】
閂４が、突起片２２が後方当接部２７に当接している位置から前方当接部２６に当接する位置まで移動する間に、凹部２４は、スライド爪２０の上方を通過する。スライド爪２０は、コイルバネ２１により上方に付勢されている。そのため、凹部２４がスライド爪２０の上方を通過する際、スライド爪２０の上端部２９が凹部２４に嵌合する。しかしながら、凹部２４と上端部２９とは、閂４の前方への移動を許容するラチェット機構を構成している。そのため、スライド爪２０は、斜面３１（図１参照）と斜面３２（図１参照）の作用により、下方に移動され、上端部２９は凹部２４から下方に退避する。したがって、図９に示すように、閂４は、突起片２２が前方当接部２６に当接するまで移動することができる。
【００７４】
突起片２２が前方当接部２６に当接するまで、閂４を前方に移動させた後（図９参照）、スライド摘み７を前方に押す力を無くすると、閂４は、コイルバネ１９の付勢力により後方に向かって移動する。そして、図１０に示すように、閂４が、凹部２４とスライド爪２０と対向する位置まで移動すると、凹部２４に閂４の上端部２９が嵌合し、閂４の後方への移動が規制される。
【００７５】
図１０に示すように、閂４が前方に進出し、閂４が筐体１８の前面から突出していると共に、スライド爪２０により後方への移動が規制されている状態で、施・解錠装置３Ａは、施錠状態となる。つまり、閂４の筐体１８の前面から突出した部分が、被施錠体Ｍである自転車の車輪のスポークの間に入り込み、被施錠体Ｍは施錠される。
【００７６】
続いて、図７および図１１から図１３を参照しながら、施錠状態にある施・解錠装置３Ａを解錠する際の動作について説明する。施・解錠装置３Ａは、解錠装置１に入力された識別コードが、予めＲＯＭ４３に記憶されている識別コードに一致する場合に、解錠装置１から施錠装置２に解錠信号の出力が行われる。解錠装置１において、識別コードは、ＬＥＤ８Ａ〜８Ｈの中のいずれか１つのＬＥＤ８が、反射板１７で反射された光を受光する順番として規定されている。具体的には、たとえば、ＬＥＤ８が受光状態にあるときは［１］、非受光の状態にあるときは［０］とし、また、ＬＥＤ８Ａ〜８Ｈの８個のＬＥＤで８ビットの構成とし、ＬＥＤ８Ｈを最上位ビット、ＬＥＤ８Ａを最下位ビットとする。この構成において、ＬＥＤ８が、ＬＥＤ８Ｂ、ＬＥＤ８Ｇ、ＬＥＤ８Ｄ、ＬＥＤ８Ｄの順序で受光された場合は、マイクロコンピューター４０では、次のように識別コードを認識する。
【００７７】
ＬＥＤ８Ｂが受光状態となった場合には、マイクロコンピューター４０は、ＬＥＤ８から出力される信号を２進数で［００００  ００１０］と認識する。そして、ＬＥＤ８Ｇが受光状態となった場合には、ＬＥＤ８から出力される信号は２進数で［０１００  ００００］と認識する。さらに、ＬＥＤ８Ｄが受光状態となった場合には、ＬＥＤ８から出力される信号は２進数で［００００  １０００］と認識する。したがって、ＬＥＤ８が、ＬＥＤ８Ｂ、ＬＥＤ８Ｇ、ＬＥＤ８Ｄ、ＬＥＤ８Ｄの順序で受光された場合、マイクロコンピューター４０では、順に［００００  ００１０］、［０１００  ００００］、［００００  １０００］、［００００  １０００］の信号を受け、これらの信号の内容（どのＬＥＤ８が選択されたか）および順序を識別コードとして認識する。なお、［００００  ００１０］、［０１００  ００００］、［００００  １０００］、［００００  １０００］を１０進数で表記すれば、［２，６４，８，８］となる。つまり、マイクロコンピューター４０では、識別コードを［２，６４，８，８］として認識すると言い換えることもできる。
【００７８】
なお、解錠装置１にＬＥＤ８Ａ〜８Ｈに対応して便宜的に１〜８の番号が付されている場合、識別コードが［００００  ００１０］、［０１００  ００００］、［００００  １０００］、［００００  １０００］（＝［２，６４，８，８］）のときは、操作者は、識別コードを２７４４として入力する（２、７、４、４の番号に対応するＬＥＤ８を選択する）ことになる。
【００７９】
識別コードの入力は、反射板１７を入力しようとする識別コードに対応するＬＥＤ８に対向させる度に、点灯スイッチ１０を押下することで行うことができる。つまり、図７のステップＳ１０〜ステップＳ３０に示すように、操作者がスライド摘み７を操作し、反射板１７を入力しようとする識別コードに対応するＬＥＤ８に対向させる都度に、点灯スイッチ１０を押下すると（ステップＳ１０においてＹｅｓ）、反射板１７が対向しているＬＥＤ８からマイクロコンピューター４０に受光信号が出力される。なお、識別コードの入力は、施・解錠装置３Ａが、図１１に示すように施錠状態となっている状態で行われる。
【００８０】
たとえば、ＬＥＤ８を、ＬＥＤ８Ｂ、ＬＥＤ８Ｇ、ＬＥＤ８Ｄ、ＬＥＤ８Ｄの順序で選択する場合には、先ず、反射板１７がＬＥＤ８Ｂに対向するようにスライド摘み７を移動した後、点灯スイッチ１０を押下すると（ステップＳ１０においてＹｅｓ）、ＬＥＤ８Ｂ，８Ｃ，８Ｆ，８Ｇが順次に点灯する（ステップＳ２０）。そして、反射板１７が対向するＬＥＤ８Ｂに、反射板１７で反射したＬＥＤ８の光が入射し、ＬＥＤ８Ｂからマイクロコンピューター４０に受光信号が送られる。この受光信号に基づいて、マイクロコンピューター４０が、ＲＡＭ４４にＬＥＤ８Ｂが選択されたこと（受光したこと）を記憶させる（ステップ２０）。
【００８１】
次いで、反射板１７がＬＥＤ８Ｇに対向するようにスライド摘み７を移動した後、点灯スイッチ１０を押下すると（ステップＳ１０においてＹｅｓ）、ＬＥＤ８Ｂ，８Ｃ，８Ｆ，８Ｇが順次に点灯し（ステップ２０）、ＬＥＤ８Ｇから受光信号がマイクロコンピューター４０に送られ、ＲＡＭ４４にＬＥＤ８Ｇが選択されたこと（受光したこと）が記憶される（ステップ２０）。さらに、反射板１７がＬＥＤ８Ｄに対向するようにスライド摘み７を移動した後、点灯スイッチ１０を２回連続して押下すると（ステップＳ１０においてＹｅｓ）、点灯スイッチ１０の１回の押下毎にＬＥＤ８Ｂ，８Ｃ，８Ｆ，８Ｇが順次に点灯し（ステップ２０）、点灯スイッチ１０が押下される度に、ＬＥＤ８Ｄから受光信号がマイクロコンピューター４０に送られる。ＲＡＭ４４には、ＬＥＤ８Ｄが２回連続されて選択されたこと（受光したこと）が記憶される（ステップ２０）。上述の結果、ＲＡＭ４４には、ＬＥＤ８が、ＬＥＤ８Ｂ、ＬＥＤ８Ｇ、ＬＥＤ８Ｄ、ＬＥＤ８Ｄの順序で選択されたことが記憶される。
【００８２】
識別コードの入力が終わった後、図１２に示すように、コイルバネ１９の付勢力に抗してスライド摘み７を前方に移動し、突起片３３によりスイッチ３７をオンさせる（ステップ３０）。閂４を、突起片２２が前方当接部２６に当接するまで前方に移動させたときに、スイッチ３７がオンされるように、スイッチ３７は配置されている。
【００８３】
スイッチ３７がオンされると、マイクロコンピューター４０は、ステップＳ１０〜ステップＳ３０により入力されＲＡＭ４４に記憶された識別コードとＲＯＭ４３に予め記憶されている識別コードとが一致しているかを判断する（ステップ４０）。ステップ４０において、入力された識別コードとＲＯＭ４３に記憶されている識別コードとが一致しない場合（ステップ４０においてＮｏ）には、エラー表示を行い（ステップＳ５０）、処理を終了する。
【００８４】
エラー表示（ステップＳ５０）が行われた状態で、スライド摘み７を前方に移動させる力を無くすると、閂４は、コイルバネ１９の付勢力により後方に移動しようとする。しかしながら、凹部２４とスライド爪２０のラチェット機構により閂４の後方への移動が規制される。つまり、施・解錠装置３Ａは施錠状態が維持される。施・解錠装置３Ａの解錠操作を再度行う場合は、上述のステップＳ１０からステップＳ４０に戻って、識別コードの再入力を行う。なお、スイッチ３７が押下され、入力された識別コードとＲＯＭ４３に記憶されている識別コードとが照合された後、マイクロコンピューター４０は、識別コードの次回の入力に備えて、ＲＡＭ４４に記憶されている識別コードを消去する。
【００８５】
一方、ステップ４０において、入力された識別コードとＲＯＭ４３に記憶されている識別コードとが一致する場合（ステップ４０においてＹｅｓ）には、マイクロコンピューター４０は、電磁石５に対して、電磁石５を励磁する信号を解錠信号として出力する（ステップＳ６０）。この解錠信号により、電磁石５は励磁される（ステップＳ６０）。電磁石５が励磁されると、スライド爪２０は電磁石５に吸引保持される。図１２に示すように、閂４が前方に進出している状態では、スライド爪２０の上端部２９は、凹部２４の外側に配置され、閂４の下面６１により上方への移動が規制されている。つまり、スライド爪２０は、図１２に示すように、上端部２９が、凹部２４の外側に配置されている位置で、電磁石５に吸着されている。
【００８６】
スライド爪２０が、電磁石５に吸着されている状態で、スライド摘み７を前方に移動する力を無くすると、図１３に示すように、閂４はコイルバネ１９の付勢力により後方に向けて移動させられる。閂４が後方に移動する際に、閂４の凹部２４は、スライド爪２０の上端部２９を通過する。しかしながら、スライド爪２０は電磁石５に吸着されているため、図１３に示すように、コイルバネ２１による上方への付勢力に抗して、スライド爪２０の上端部２９は、凹部２４に嵌合することなく、閂４の下方に載置された状態が保持される。したがって、閂４は、図１４に示すように、突起片２２が後方当接部２７に当接する退避位置まで移動し、施・解錠装置３Ａは解錠状態となる。
【００８７】
突起片２２が後方当接部２７に当接するとスイッチ３６が、突起片２２により押下されオンとなる。スイッチ３６のオン信号を受けて（ステップＳ７０においてＹｅｓ）、マイクロコンピューター４０は、電磁石５の励磁を中止する（ステップＳ８０）。
【００８８】
上述のステップＳ５０におけるエラー表示は、たとえば、ＬＥＤ８Ｂ，８Ｃ，８Ｆ，８Ｇを同時に３回点滅する態様とすることができる。また、制御回路１６に、発音手段を設けることで、該点滅に併せて、電子音を発音させる構成としてもよい。これに対し、ステップ４０において、入力した識別コードとＲＯＭ４３に記憶されている識別コードとが一致した場合には、ステップＳ４５に示すように、一致表示を行う構成としてもよい。一致表示は、たとえば、ＬＥＤ８Ｂ，８ＦとＬＥＤ８Ｃ，８Ｇとを交互に点滅させる態様とすることができる。また、制御回路１６に、発音手段を設けることで、該点滅に併せて、耳ざわりのよい電子音を発音させる構成としてもよい。
【００８９】
（本実施の主な効果）
本実施の形態に係る解錠装置１は、光出射部としてのＬＥＤ８Ｂ，８Ｃ，８Ｆ，８Ｇと、ＬＥＤ８Ｂ，８Ｃ，８Ｆ，８Ｇに光の出射を指示する光出射指示部としての点灯スイッチ１０と、複数の光センサーとしてのＬＥＤアレイ８Ａｒ（ＬＥＤ８Ａ〜８Ｈ）と、ＬＥＤ８Ｂ，８Ｃ，８Ｆ，８Ｇから出射した光を、ＬＥＤアレイ８Ａｒの中の一部のＬＥＤ８に対して選択的に反射させることができるように、ＬＥＤアレイ８Ａｒに対して移動可能な光反射部としての反射板１７と、反射板１７により選択的に反射された光が、ＬＥＤアレイ８Ａｒの中の所定のＬＥＤ８に所定の順番で受光されたか否か判断する判断部としてマイクロコンピューター４０とを有している。
【００９０】
解錠装置１は、上述の構成を有することで、反射板１７によりＬＥＤアレイ８Ａｒの中の一部のＬＥＤ８に対して選択的に所定の順番で光を入射させることができる。そして、マイクロコンピューター４０により、所定のＬＥＤ８が所定の順番で受光されたか否かを判断することができる。そのため、マイクロコンピューター４０は、該判断に基づいて、マイクロコンピューター４０から解錠信号等の所定の信号を出力することができる。
【００９１】
なお、上述の実施の形態では、反射板１７で反射された光は、１つのＬＥＤ８のみに入射する構成とされているが、たとえば、反射板１７の幅Ｗを広くし、２以上のＬＥＤ８に同時に入射する構成としてもよい。かかる構成においては、２以上の所定のＬＥＤ８に同時に光が受光されたことを、識別コード（識別コードの一部）として扱うことになる。
【００９２】
本実施の形態に係る解錠装置１においては、ガイドカバー６およびスライド摘み７が透明体とされている。したがって、ＬＥＤ８Ｂ，８Ｃ，８Ｆ，８Ｇから出射した光は、透光部であるガイドカバー６およびスライド摘みを透過して解錠装置１の外部に出射することができる。
【００９３】
解錠装置１は、上述の構成を有することで、解錠装置１の動作状態に併せて、ＬＥＤ８Ｂ，８Ｃ，８Ｆ，８Ｇが所定の点灯・点滅動作を行うことができる。そのため、操作者は、ＬＥＤ８Ｂ，８Ｃ，８Ｆ，８Ｇの点灯・点滅状態により解錠装置１の動作状態を知ることができる。すなわち、ＬＥＤ８Ｂ，８Ｃ，８Ｆ，８Ｇを表示手段として機能させることができる。なお、ガイドカバー６およびスライド摘み７は、全体を透明樹脂にて形成してもよいが、ＬＥＤ８Ｂ，８Ｃ，８Ｆ，８Ｇと対向する部分のみ透明樹脂で形成するようにしてもよい。ＬＥＤ８Ｂ，８Ｃ，８Ｆ，８Ｇと対向する部分のみ透明樹脂で形成することで、ノイズ光がＬＥＤアレイ８Ａｒに入射することを防止することができる。
【００９４】
本実施の形態に係る解錠装置１においては、ＬＥＤアレイ８Ａｒが、１列の列状に配置されている。そして、反射板１７が備えられるスライド摘み７は、ガイドカバー６のガイドを受けて、ＬＥＤ８の配列方向（ＬＥＤアレイ８Ａｒの配列方向）に移動可能とされている。すなわち、反射板１７が、ＬＥＤアレイ８Ａｒの配列方向に移動可能とされている。
【００９５】
解錠装置１は、上述のように、反射板１７をＬＥＤアレイ８Ａｒの配列方向に移動可能な構成とすることで、反射板１７で反射された光を、容易にＬＥＤアレイ８Ａｒの中の所定のＬＥＤ８に所定の順番で入射させることができる。
【００９６】
なお、スライド摘み７を移動することで反射板１７をＬＥＤアレイ８Ａｒに対して移動させる代わりに、たとえば、基板９自体を前後方向に移動することにより、ＬＥＤアレイ８Ａｒを反射板１７に対して移動させ、反射板１７で反射された光のＬＥＤアレイ８Ａｒへの入射位置を換える構成としてもよい。
【００９７】
本実施の形態に係る解錠装置１においては、ＬＥＤ８Ｂ，８Ｃ，８Ｆ，８Ｇを解錠装置１の動作状態に応じて所定の点灯を行わせる点灯制御部としてのマイクロコンピューター４０を有し、入力された識別コードがＲＯＭ４３に記憶されている識別コードと一致し解錠可能な場合（図７に示すステップＳ４０においてＹｅｓ）と、一致せずに解錠不可能な場合図７に示すステップＳ４０においてＮｏ）とで、所定の点滅（ステップＳ４５，Ｓ５０）を行う構成とされている。
【００９８】
解錠装置１が、上述の構成を有することで、操作者は、解錠装置１の動作状態を視覚を通じて容易に認識することができる。
【００９９】
（変形例）
施・解錠装置は、図１５に示す施・解錠装置３Ｂの構成とすることもできる。図１５は、施・解錠装置３Ｂを操作面側からみた平面図である。図１６は、図１５に示す切断線Ｃ−Ｃにおける施・解錠装置３Ｂの断面の概略の構成を示す図である。上述の施・解錠装置３Ａは、スライド摘み７により、反射板１７の移動と、閂４の移動とを行う構成となっている。これに対し、施・解錠装置３Ｂは、反射板１７の移動をダイヤル摘み７０により行い、閂４の移動は、ダイヤル摘み７０とは別の部材であるスライド摘み７１により行う構成となっている。以下の説明では、施・解錠装置３Ｂの構成において、上述の施・解錠装置３Ａと同様の構成については、同一の符号を付し、その説明を省略または簡略化することとする。なお、以下の説明において、図１６に示すＸ方向を前方、Ｙ方向を上方として説明を行う。
【０１００】
施・解錠装置３Ｂは、解錠装置７２と施錠装置２とを有する。解錠装置７２は、筐体７３と、ダイヤル摘み７０と、ダイヤル摘み７０を回転自在に支持する支持体７４と、回転板７５と、反射板１７と、複数の光センサーとしてＬＥＤ８が環状に配列されたＬＥＤアレイ７６と、基板９と、光出射指示部としての点灯スイッチ１０と、スライド摘み７１等とを有する。
【０１０１】
支持体７４は、中心軸Ｘを中心とする略円板状を呈し、筐体７３に対して取り付けられている。支持体７４の中心部には、ダイヤル摘み７０の軸部７７が通され、支持体７４は、ダイヤル摘み７０を中心軸Ｘを中心として回転可能に支持している。回転板７５は、フランジ部７８とスリーブ部７９とを有し、ダイヤル摘み７０の軸部７７は、スリーブ部７９に挿入されている。
【０１０２】
軸部７７の外周面には、上下方向に延びる凸条８０が形成され、またスリーブ部７９の内周面には、上下方向に延びる溝部８２が形成されている。軸部７７は、スリーブ部７９に、凸条８０が溝部８２に嵌合するように通されている。したがって、軸部７７とスリーブ部７９とは、凸条８０と溝部８２とにより互いに周方向に係合し、ダイヤル摘み７０を回転させると、回転板７５も一体的に回転する。
【０１０３】
回転板７５のフランジ部７８は、支持体７４の上板部８３と下板部８４との間に配置されている。したがって、ダイヤル摘み７０を回転させると、フランジ部７８は上板部８３と下板部８４との間を中心軸Ｘの周りに回転することができる。
【０１０４】
ダイヤル摘み７０の下側には、スリーブ部７９が嵌合することができる凹部８５が形成されている。また、ダイヤル摘み７０と回転板７５との間には、ダイヤル摘み７０と回転板７５とに反力を取るコイルバネ８６が配置されている。軸部７７には、支持体７４の下板部８４の下側に抜けた部分に、環状の凸条８７が形成されている。凸条８７は、ダイヤル摘み７０の軸部７７が、支持体７４から上方へ抜けないようにする抜け止めとして機能している。
【０１０５】
凸条８０と溝部８２とは上下方向については係合していない。そのため、ダイヤル摘み７０をコイルバネ８６の付勢力に抗して、下方に押下すると、ダイヤル摘み７０は下方に移動し、軸部７７も下方に移動する。そして、該押下する力を無くすると、ダイヤル摘み７０は、コイルバネ８６の付勢力により、凸条８７が支持体７４に当接する位置に復帰する。
【０１０６】
支持体７４の下方には、基板９が配置され、基板９には、中心軸Ｘを中心に環状にＬＥＤ８Ａ〜８Ｈが環状のＬＥＤアレイ７６とし実装されている。また、基板９には、制御回路１６（図４）も実装されている。
【０１０７】
支持体７４および回転板７５は、透明体（たとえば、透明なポリカーボネイト樹脂）にて形成され、ＬＥＤアレイ７６を支持体７４および回転板７５を介して解錠装置１の外部（上方）から視認することができるように構成されている。
【０１０８】
回転板７５の下面には、反射板１７が備えられている。反射板１７は、ダイヤル摘み７０を回転させたときに、ＬＥＤ８Ａ〜８Ｈの１つのＬＥＤ８に対向することができるように配置されている。ダイヤル摘み７０を回転させると、反射板１７をＬＥＤ８Ａ〜８Ｈの中の任意のＬＥＤ８に対して選択的に対向させることができる。
【０１０９】
なお、回転板７５と支持体７４との間には、回転板７５を回転させたときに、反射板１７をＬＥＤ８と対向する位置に位置決めすることができるように、図示を省略するクリック機構が設けられている。クリック機構は、たとえば、回転板７５の下面に、ＬＥＤ８の配置に対応させて形成される複数の凹部（図示省略）と、支持体７４の下板部８４の上面に形成され、該凹部に嵌合可能な突起部（図示省略）とを用いて構成することができる。
【０１１０】
軸部７７の下方には、点灯スイッチ１０が配置され、ダイヤル摘み７０が下方に押下され移動したときに、軸部７７の先端部８８によりオン操作される。
【０１１１】
解錠装置７２の前方には施錠装置２が配置されている。施錠装置２の閂４は、筐体７３に前後方向に移動可能に支持されているスライド摘み７１を前方に移動することにより、前方に移動することができる。図１７は、図１５における切断線Ｄ−Ｄにおける断面図であり、スライド摘み７１の筐体７３への支持構造が示されている。筐体７３の板部８９には前後方向に延設されるスリット９０が形成されている。スライド摘み７１は、嵌合部９１に筐体７３の板部８９が嵌合するようにスリット９０（図１５参照）に通され、スライド摘み７１は、スリット９０に沿って前後方向に移動可能とされている。スライド摘み７１には、筐体７３の内部に配置される部分に、閂４に当接する当接部９２が設けられている。したがって、スライド摘み７１を前方に移動すると、当接部９２が閂４の後端部に当接し、閂４を前方に移動することができる。
【０１１２】
上述の構成を有する施・解錠装置３Ｂにおいては、施・解錠装置３Ａのスライド摘み７に換えてスライド摘み７１を前方に移動することで、図８から図１０を参照して説明したように、閂４が前方に移動され、被施錠体Ｍを施錠することができる。
【０１１３】
施・解錠装置３Ａにおいては、識別コードの入力は、スライド摘み７を所定の順番で所定のＬＥＤ８に移動し、点灯スイッチ１０を押下することで行うことができる。これに対し、施・解錠装置３Ｂにおいては、ダイヤル摘み７０を回転し、反射板１７を入力しようとする識別コードに対応するＬＥＤ８に対向させる度に、ダイヤル摘み７０を下方に押下し、点灯スイッチ１０をオンすることにより、識別コードの入力を行うことができる。施・解錠装置３Ｂは、識別コードの入力を、スライド摘み７に換えてダイヤル摘み７０を用いて行い、また、スイッチ３７のオン操作をスライド摘み７に換えてスライド摘み７１を用いる点を除いて施・解錠装置３Ａと同様である。
【０１１４】
上述の解錠装置７２においては、ＬＥＤアレイ７６が環状に配置されている。また、反射板１７は、ダイヤル摘み７０の回転と共に回転する回転板７５に備えられ、ＬＥＤアレイ７６の環状の配置に沿って移動可能とされている。
【０１１５】
解錠装置７２は、上述の構成を有することで、解錠装置１のようにスライド摘み７を用いて識別コードを入力する場合に比べて、解錠装置７２のコンパクト化を図ることができる。つまり、解錠装置１のようにスライド摘み７により識別コードを入力する構成とした場合には、スライド摘み７をＬＥＤアレイ８Ａｒの長さ分を移動させる必要がある。すなわち、スライド摘み７の移動スペースを確保する必要がある。これに対し、ダイヤル摘み７０を用いて識別コードを入力する構成とした場合には、ダイヤル摘み７０の移動スペースを確保する必要がないため、解錠装置７２のコンパクト化を図ることができる。解錠装置７２においては、スライド摘み７１の移動スペースを確保する必要があるが、閂４を移動させるだけのスペースで足りるため、解錠装置１のスライド摘み７に要する移動スペースに比べて少ないものとすることができる。
【０１１６】
なお、ダイヤル摘み７０を回転することで反射板１７をＬＥＤアレイ７６に対して移動させる代わりに、たとえば、基板９自体を中心軸Ｘの周りに回転することにより、ＬＥＤアレイ７６を反射板１７に対して移動させ、反射板１７で反射された光のＬＥＤアレイ７６への入射位置を換える構成としてもよい。
【０１１７】
上述の解錠装置１および解錠装置７２においては、ＬＥＤ８を受光素子としても用いる構成としているが、光センサーとして、ＬＥＤ８の換わりにＣＣＤやフォトダイオード等の受光専用の素子を用いることもできる。この場合には、光出射部としてのＬＥＤとＣＣＤあるいはフォトダイオードとが対で配置される。つまり、ＬＥＤ８Ａ〜８Ｈの８個のＬＥＤ８を備える解錠装置１および解錠装置７２においては、８対のＬＥＤとＣＣＤあるいはフォトダイオードとが配置される。また、光センサーとしてＣＣＤあるいはフォトダイオードを用いる場合や、ＬＥＤを受光素子としてのみ用いる場合は、光出射部は、ＬＥＤに限らず、たとえば、ビリケン球、麦球等のフィラメントを用いた光源を使用することもできる。
【０１１８】
また、光センサーとしてのＬＥＤやＣＣＤあるいはフォトダイオードは、一列、あるいは環状の配置に限らず、十字状、あるいはランダムな配置としてもよい。
【０１１９】
上述の解錠装置１（７２）は、閂４を有する施錠装置２と組み合わされて使用されているが、電気製品の電源スイッチ部を施錠装置として位置づけ、解錠装置１（７２）から出力される解除信号により電源スイッチが作動可能な状態とさせる構成とすることもできる。また、解錠装置１（７２）から出力される解除信号を、たとえば、駆動開始信号として利用し、モーター等電気製品を駆動制御する構成とすることもできる。
【０１２０】
解錠装置１（７２）には、図４に示すように、識別コードの書き込みスイッチである書込みスイッチ４５が設けられている。書込みスイッチ４５をオンすると、マイクロコンピューター４０は、識別コードの書き込みモードとなる。書き込みモードにおいて、点灯スイッチ１０をオンすると、ＬＥＤ８Ｂ，８Ｃ，８Ｆ，８Ｇが順次に点灯し、点灯スイッチ１０をオンする都度に、反射板１７で反射された光が入射したＬＥＤ８が識別コードとして順次ＲＯＭ４３に記憶される。たとえば、反射板１７をＬＥＤ８Ａ、ＬＥＤ８Ａ、ＬＥＤ８Ｃ、ＬＥＤ８Ｅの順で選択する都度に、点灯スイッチ１０をオンすると、ＲＯＭ４３には、識別コードとして、ＬＥＤ８Ａ、ＬＥＤ８Ａ、ＬＥＤ８Ｃ、ＬＥＤ８Ｅの順で選択されることが記憶される。スライド摘み７（７１）を前方に移動し、スイッチ３７をオン操作することで、書き込みモードは終了する。
【０１２１】
マイクロコンピューター４０は、書き込まれた識別コードを解錠のための識別コードと認識する。そのため、スイッチ３７がオンされた状態で、電磁石５は励磁され、スライド爪２０を吸引する。したがって、閂４は、コイルバネ１９の付勢力により後方に移動し、施錠装置２は解錠状態となる。
【０１２２】
操作者が識別コードを忘れてしまった場合、あるいは、識別コードを変更する場合に、上記の識別コードの書き込みモードを用いることができる。
【０１２３】
なお、書き込みモードにおいては、新たに識別コードを書き込んだ状態で解錠され、また、既に記憶されている識別コードを変更できるため、書込みスイッチ４５は、隠し蓋により覆われ、容易に操作できない位置に配置する。
【符号の説明】
【０１２４】
１，７２  …  解錠装置
３Ａ，３Ｂ  …  施・解錠装置
６  …  ガイドカバー（透光部）
７  …  スライド摘み  （透光部）
８（８Ａ，８Ｂ，８Ｃ，８Ｄ，８Ｅ，８Ｈ，８Ｇ，８Ｈ）  …  ＬＥＤ（光出射部、光センサー）
８Ａｒ  …  ＬＥＤアレイ（複数の光センサー）
１０  …  点灯スイッチ（光出射指示部）
１７  …  反射板（光反射部）
４０  …  マイクロコンピューター（判断部）
７４  …  支持体（透光部）
７５  …  回転板（透光部）
【図１】
2013014973.tif 000003
【図２】
2013014973.tif 000004
【図３】
2013014973.tif 000005
【図４】
2013014973.tif 000006
【図５】
2013014973.tif 000007
【図６】
2013014973.tif 000008
【図７】
2013014973.tif 000009
【図８】
2013014973.tif 000010
【図９】
2013014973.tif 000011
【図１０】
2013014973.tif 000012
【図１１】
2013014973.tif 000013
【図１２】
2013014973.tif 000014
【図１３】
2013014973.tif 000015
【図１４】
2013014973.tif 000016
【図１５】
2013014973.tif 000017
【図１６】
2013014973.tif 000018
【図１７】
2013014973.tif 000019